(57)【要約】      （修正有）【課題】ダンパスプリングの伸縮変形に伴うピストンとの摩擦による動力損失を無くして、伝達効率の高いトルクコンバータのロックアップダンパ装置の提供。【解決手段】ピストン２には所定厚さのスペーサー１２を介在してリング状のプレート５を取着し、リング状の中間部材４をピストンとプレート間の隙間に回転自在に取付け、プレートにはタービンランナを取着しているタービンハブに連結する円盤状ディスク６を重ね合わせ、中間部材には連結部にて仕切られた複数の円弧溝８を設けると共に、該円弧溝には２本のダンパスプリング３を間に空間を残して嵌め、又プレートにもバネ押え１５にて仕切られた複数の円弧溝を設けると共に、円弧溝には上記連結部を挟んで直列状態にある２本のダンパスプリングを嵌め、又バネ押えを中間部材の円弧溝に嵌めた２本のダンパスプリング間の空間に嵌め、さらにディスクにはバネ受け１８をバネ押えと同じ位置に設けている。【選択図】図１
2007192360.tif 000002
【特許請求の範囲】
【請求項１】
トルクコンバータ内に収容され、タービンランナとピストンとを弾性的に連結し、上記ピストンが係合したロックアップ状態において、エンジンのトルク変動を吸収するロックアップダンパ装置において、ピストンには所定厚さのスペーサーを介在してリング状のプレートを取着し、上記スペーサーが外周に形成したガイド面に当って回転するリング状の中間部材をピストンとプレート間の隙間に取付け、そしてプレートにはタービンランナを取着しているタービンハブに連結する円盤状ディスクを重ね合わせ、上記中間部材には連結部にて仕切られた複数の円弧溝を設けると共に、該円弧溝には２本のダンパスプリングを間に空間を残して嵌め、又上記プレートにもバネ押えにて仕切られて拘束片を形成した複数の円弧溝を設けると共に、該円弧溝には上記連結部を挟んで直列状態にある２本のダンパスプリングを嵌め、又バネ押えを中間部材の円弧溝に嵌めた２本のダンパスプリング間の空間に嵌め、さらにディスクにはバネ受けをバネ押えと同じ位置に設けたことを特徴とするトルクコンバータのロックアップダンパ装置。
【請求項２】
トルクコンバータ内に収容され、タービンランナとピストンとを弾性的に連結し、上記ピストンが係合したロックアップ状態において、エンジンのトルク変動を吸収するロックアップダンパ装置において、ピストンには所定厚さのスペーサーを介在してリング状のプレートを取着し、上記スペーサーが外周に形成したガイド面に当って回転するリング状の中間部材をピストンとプレート間の隙間に取付け、そしてプレートにはタービンランナを取着しているタービンハブに連結する円盤状ディスクを重ね合わせ、上記中間部材には連結部にて仕切られた複数の円弧溝を設けると共に、該円弧溝には２本のダンパスプリングを間に空間を残して嵌め、又上記プレートにもバネ押えにて仕切られて内外側に拘束片を形成した複数の円弧溝を設けると共に、該円弧溝には上記連結部を挟んで直列状態にある２本のダンパスプリングを嵌め、又バネ押えを中間部材の円弧溝に嵌めた２本のダンパスプリング間の空間に嵌め、さらにプレートには上記ダンパスプリングの外周側に溝を設けて補助ダンパスプリングを嵌め、一方、ディスクにはバネ受けをバネ押えと同じ位置に設け、外周部にはダンパスプリングの圧縮変形が大きくなった際には上記補助ダンパスプリングに係合する円弧窓を形成したことを特徴とするトルクコンバータのロックアップダンパ装置。
【請求項３】
上記中間部材の外周には複数の凹部を等間隔で形成し、この凹部底をガイド面としてスペーサーが当接するようにした請求項１、又は請求項２記載のトルクコンバータのロックアップダンパ装置。
【発明の詳細な説明】
【技術分野】
【０００１】
本発明はダンパスプリングを直列状態で連結するトルクコンバータのロックアップダンパ装置に関するものである。
【背景技術】
【０００２】
トルクコンバータとは周知の通りエンジンの動力を、作動流体を媒体としてトランスミッションへ伝えることが出来る一種の継手であり、エンジンによって回されるポンプインペラ、そして該ポンプインペラの回転により送り出される作動流体の動きを受けて回るタービンランナ、さらにタービンランナから出た作動流体の向きを変えてポンプインペラへ導くステータから構成されている。
【０００３】
そこで、これらポンプインペラ、タービンランナ、及びステータには複数枚のブレードが所定の角度をもって一定間隔で配列されている。トルクコンバータ内に封入されている作動流体は、ポンプインペラからその各ブレードを介して外周方向へ送り出され、トルクコンバータのケース内壁を伝い、タービンランナのブレードに当って該タービンランナをポンプインペラと同方向に回す働きをする。又タービンランナに当たってから送り出される作動流体は、ステータのブレードに当たってポンプインペラの回転を助長する方向に流れ方向が変えられ、再び内周からポンプインペラに流入する。
【０００４】
図８は従来のトルクコンバータの断面を示している。同図の(イ)はポンプインペラ、(ロ)はタービンランナ、(ハ)はステータ、そして(ニ)はピストンをそれぞれ示し、これらはトルクコンバータ外殻(ム)内に収容されている。そこでエンジンからの動力を得てフロントカバー(ホ)が回転し、該フロントカバー(ホ)と一体となっているポンプインペラ(イ)が回転し、その結果、作動流体を媒介としてタービンランナ(ロ)が回る。
【０００５】
そしてタービンランナ(ロ)のタービンハブ(ヘ)には軸(図示なし)が嵌って、タービンランナ(ロ)の回転をトランスミッション(図示なし)へ伝達することが出来る。トルクコンバータは一種の流体クラッチである為、ポンプインペラ(イ)の回転速度が低い場合には、タービンランナ(ロ)の回転を停止することが出来(車を停止することが出来)、しかしポンプインペラ(イ)の回転速度が高くなるに従ってタービンランナ(ロ)は回り始め、さらに高速になるに従ってタービンランナ(ロ)の速度はポンプインペラ(イ)の回転速度に近づく。しかし作動流体を媒介としているトルクコンバータでは、タービンランナ(ロ)の回転速度はポンプインペラ(イ)と同一速度にはなり得ない。
【０００６】
そこで、同図にも示しているようにトルクコンバータ外殻(ム)内にはピストン(ニ)が設けられていて、タービンランナ(ロ)の回転速度が所定の領域を越えた場合には、該ピストン(ニ)が軸方向に移動してフロントカバー(ホ)に係合するように作動することが出来る。ピストン外周には摩擦材(ト)が取り付けられている為に、該ピストン(ニ)は滑ることなくフロントカバー(ホ)と同一速度で回転することが出来る。そしてこのピストン(ニ)はタービンランナ(ロ)と連結していて、タービンランナ(ロ)はピストン(ニ)によって回されることになり、エンジンからの動力をトランスミッションへ、流体を介することによるロスを伴うことなくほぼ１００％の高効率で伝達することが出来る。
【０００７】
このように、タービンランナ（ロ）の回転速度が高くなって、ある条件になった時に、ピストン(ニ)はフロントカバー(ホ)に係合して、作動流体を媒体としないでタービンランナ(ロ)を直接回転駆動させることが出来る。しかし係合前は、タービンランナ(ロ)とフロントカバー(ホ)の回転速度は完全に同一ではなく、ピストン(ニ)がフロントカバー(ホ)に係合することで、速度差に基づく衝撃トルクが発生する。この係合時の衝撃を緩和し、一方では係合後にエンジンのトルク変動を伝えない為にピストン(ニ)とタービンランナ(ロ)との間にはダンパスプリング(チ)、(チ)・・を備えたロックアップダンパ装置(ヌ)が取り付けられている。
【０００８】
したがって、タービンランナ(ロ)と共に同一速度で回転しているピストン(ニ)が僅かに速いフロントカバー(ホ)に係合する際、ピストン(ニ)の速度は瞬間的に高くなってタービンランナ(ロ)をより速く回そうとするトルクが作用する。この衝撃的トルクをダンパスプリング(チ)、(チ)・・が圧縮変形して吸収するように構成されている。ピストン(ニ)はタービンランナ(ロ)のタービンハブ(ヘ)に同軸を成して取り付けられているが、ダンパスプリング(チ)、(チ)・・の圧縮変形によって上記タービンランナ(ロ)と位相差を生じることが出来る構造となっている。
【０００９】
従来において、ロックアップダンパの構造は色々知られているが、例えば特開平１０−１６９７１４号に係る「ダンパー機構」は、広い捩れ角特性確保の為に中間部材を介して直列に連結された複数の弾性部材（コイルスプリング）を外周部に配置したダンパー機構で、中間部材を含む弾性部材の連結部分の移動を規制し、ダンパー特性を安定させることを目的としている。
【００１０】
そこで、該ロックアップダンパ機構は、リティニングプレートと、ドリブン部材と、外周部において直列に配置されるコイルスプリングと、中間部材と、中間部材の軸方向の移動を規制する押さえプレートとを備えている。コイルスプリングは、リティニングプレートとドリブン部材とを弾性的に連結する。この場合、中間部材は、リティニングプレート及びドリブン部材に対して相対回転可能で、コイルスプリング間に配置される中間支持部と、中間支持部の径方向外側への移動を規制する環状の連結部とを有している。
【００１１】
複数のコイルスプリング(ダンパスプリング)が中間部材を介して直列に連結されることで捩れ角が大きく成って、ピストン(リティニングプレート)がフロントカバーに係合する際の衝撃を一段と緩和することが出来、トランスミッションへの伝達トルクの変動が小さくなる。
【００１２】
図９は前記図８に示すトルクコンバータのロックアップダンパ装置(ヌ)を単独で表している。上記ダンパスプリング(チ)、(チ)・・は外プレート(ル)と外プレート(オ)にて挟まれ、両外プレート(ル)、(オ)の間には中プレート(ワ)と中間部材(カ)が介在している。中プレート(ワ)はリング状を成してその内周にはバネ押え(ヨ)、(ヨ)・・を突出し、一方の中間部材(カ)もリング状を成してその外周には連結部(リ)、(リ)・・が突出している。
【００１３】
外径の小さい中間部材(カ)は中プレート(ワ)の穴に嵌り、中プレート(ワ)の内側に突出して設けたバネ押え(ヨ)、(ヨ)・・間には２本のダンパスプリング(チ)、(チ)が直列状態でセットされ、そして直列状態の両ダンパスプリング(チ)、(チ)の間に中間部材(カ)の外側へ突出した連結部(リ)が介在している。又、中プレート(ワ)の外周には切欠き溝(タ)、(タ)・・が形成され、この切欠き溝(タ)、(タ)・・にはピストン(ニ)が係止している。
【００１４】
従って、中プレート(ワ)はピストン(ニ)と共に回転し、ピストン(ニ)がフロントカバー(ホ)に係止することで回転速度が高くなるならば、中間部材(カ)の連結部(リ)、(リ)・・を介して直列状態にあるダンパスプリング(チ)、(チ)・・は圧縮変形して、係合する際の衝撃トルクを緩和することが出来る。ダンパスプリング(チ)、(チ)・・は外プレート(ル)、(オ)に挟まれており、該外プレート(オ)は図８に示しているようにタービンランナ(ロ)と共にタービンハブ(ヘ)に固定されている。
【００１５】
その為に、ピストン(ニ)がフロントカバー(ホ)に係合する際の衝撃は、上記ダンパスプリング(チ)、(チ)・・にて吸収されてタービンランナ(ロ)へは伝わらない構造と成っている。ここで、中プレート(ワ)、及び中間部材(カ)は両外プレート(ル)、(オ)にて挟まれているが、ダンパスプリング(チ)、(チ)・・の圧縮変形に伴って回転することが出来るように僅かな隙間が設けられている。
【００１６】
ところで、図９に示すロックアップダンパ装置(ヌ)はダンパスプリング(チ)、(チ)・・を挟んで保持する為に両外プレート(ル)、(オ)を備えた構造となっている。従って、ダンパスプリング(チ)、(チ)・・の位置決めとしての効果は大きいが、ロックアップダンパ装置(ヌ)の重量は重くなってしまう。このことは、必然的に伝達エネルギーの損失として、エンジン効率の低下を招く。
【００１７】
図１０は別構造を有す従来のロックアップダンパ装置(ヌ)を示している。該ロックアップダンパ装置(ヌ)では、ピストン(ニ)の外周にダンパスプリング(チ)、(チ)・・が直列状態で配置され、ダンパスプリング(チ)、(チ)・・はピストン(ニ)から外れないように、ピストン外周には概略「ヘ」形断面の拘束部(レ)を形成している。
【００１８】
このロックアップダンパ装置(ヌ)では、ダンパスプリング(チ)、(チ)・・がピストン外周の拘束部(レ)に配置される為に、トルクコンバータの高速回転に伴う遠心力は大きくなり、該ダンパスプリング(チ)、(チ)・・は拘束部(レ)に強く押圧される。そして、この状態でダンパスプリング(チ)、(チ)・・は圧縮変形するが、伸縮変形に伴ってピストン(ニ)との間に滑りが発生し、摩擦損失を生じる。
【００１９】
図１０に示すロックアップダンパ装置(ヌ)は、２本のダンパスプリング(チ)、(チ)が回転自在に取付けられた中間部材(カ)の連結部(リ)を間にして直列状態に配置されている。そして、円盤状の押えプレート(ソ)がピストン(ニ)にリベット止めされ、押えプレート(ソ)の外周にはバネ押え(ツ)、(ツ)・・が突出して設けられ、連結状態にあるダンパスプリング(チ)、(チ)・・の先端に当っている。すなわち、バネ押え(ツ)、(ツ)・・間には連結状態にある２本のダンパスプリング(チ)、(チ)・・が介在している。
【００２０】
そして、同図には図示していないが、バネ押え(ツ)、(ツ)・・の位置にはタービンランナ(ロ)から延びるバネ受けが設けられている。従って、連結状態にある２本のダンパスプリング(チ)、(チ)は押えプレート(ソ)のバネ押え(ツ)、(ツ)・・とバネ受けとで挟まれている。その為に、ピストン(ニ)がフロントカバーに係合する際にその回転速度が高くなるならば、バネ押え(ツ)、(ツ)・・とバネ受けとで挟まれたダンパスプリング(チ)、(チ)・・は圧縮変形して衝撃を吸収し、タービンランナ(ロ)へ衝撃が伝わらないように成っている。
【特許文献１】特開平１０−１６９７１４号に係る「ダンパー機構」
【発明の開示】
【発明が解決しようとする課題】
【００２１】
このように従来のトルクコンバータのロックアップダンパ装置には上記のごとき問題がある。本発明が解決しようとする課題はこれら問題点であり、遠心力の影響を抑えるためにダンパスプリングを内径側に配置し、部品点数を少なくした簡単な構造であって、ダンパスプリングの伸縮変形に伴うピストンとの摩擦による動力損失を小さくして、伝達効率の高いトルクコンバータのロックアップダンパ装置を提供する。
【課題を解決するための手段】
【００２２】
本発明に係るトルクコンバータのロックアップダンパ装置は、２本のダンパスプリングを直列状態に連結することで、ピストンがフロントカバーに係合する際の衝撃トルクを一段と緩和するように捩れ角度を拡大することが出来る。そして直列状態にあって隣り合うダンパスプリング間には中間部材の連結部が介在し、連結部は中間部材に設けた複数の円弧溝の仕切りとして設けられている。２本のダンパスプリングは該円弧溝に間に空間をおいて嵌っている。
【００２３】
直列状態のダンパスプリングの一方側先端は中間部材の連結部に当接するが、ダンパスプリングの他方側先端はプレートのバネ押えが当接する。プレートは上記中間部材より大きなリング形状を成し、外周部には円弧溝が形成され各円弧溝の間には上記バネ押えを有している。プレートは中間部材に重ね合わされると共にピストンに固定され、連結部を介して直列したダンパスプリングの両端にバネ押えが嵌って配置されることになる。すなわち、プレートの円弧溝には連結部を間にして直列状態にある２本のダンパスプリングが嵌る。
【００２４】
そして、上記プレートには円盤状のディスクが重ね合わされ、ディスクはタービンランナと連結し、バネ押えの位置にはバネ受けが重なり合って配置される。ところで、このように構成されたロックアップダンパ装置において、ピストンが高速回転しているフロントカバーに係合する際、該ピストンの回転速度が急に高くなるならば、該ピストンに連結・固定されて同速で回転するプレートに形成したバネ押えは直列状態にあるダンパスプリング一方端を押圧して圧縮する。
【００２５】
直列状態にあるダンパスプリングの他方端はディスクのバネ受けにて支持されているが、ダンパスプリングが適度に圧縮変形することでタービンランナへの衝撃トルクが緩和される。又、プレートの外周部には溝が形成され、この溝には補助ダンパスプリングが嵌り、ディスク外周部には比較的大きな円弧窓を設け、ピストンとの相対回転角度が一定以上に大きくなった際には補助ダンパスプリングに円弧窓端面が当たって圧縮変形させる構造と成っている。
【発明の効果】
【００２６】
本発明に係るロックアップダンパ装置はダンパスプリングを直列状態で配列している為に、ピストンがフロントカバーに係合する際に大きく伸縮変形することができ、衝撃を抑制する効果が大きい。そして、直列に配列されているダンパスプリング間には中間部材に設けている連結部が介在し、ダンパスプリングの伸縮に伴って中間部材は自由に回転する。
【００２７】
そして、本発明のロックアップダンパ装置は、直列状態にあるダンパスプリングをピストンの内周寄りに配置すると共に、該ピストンと１枚のプレートで挟み込んだ構造であるために、従来のロックアップダンパ装置に比較して部品点数が少なくなり、その分だけ軽量化されると共にコストダウンとなる。そして、内周寄りに配置されるダンパスプリングに作用する遠心力は小さくなり、伸縮変形に伴うピストンとの摩擦を軽減することが出来る。
【００２８】
又、ダンパスプリングを直列する為に連結部を設けた中間部材には円弧溝が形成されてダンパスプリングは円弧溝に収容され、同じくプレートにも円弧溝が形成されてダンパスプリングが収容される構造としている。すなわち、円弧溝に嵌ることでダンパスプリングは内周側だけでなく外周側も拘束される。従って、トルクコンバータの回転に伴う遠心力が作用してもダンパスプリングが位置ズレすることはなく、位置ズレに伴って発生するピストンと擦れ合いを防止し、摩擦損失を抑制できる。
【実施例】
【００２９】
図１は本発明のロックアップダンパ装置を表している。該ロックアップダンパ装置は前記図８に示すようなトルクコンバータに取付けられ、フロントカバーとタービンランナとを連結し、ピストンがフロントカバーに係合する際の衝撃トルクを緩和するように機能する。すなわち、ロックアップダンパ装置１はタービンランナのフランジと共にタービンハブに取り付けられ、ピストン２と共に回転して該ピストン２がフロントカバーと係合する際に発生する衝撃的トルクをダンパスプリングが圧縮変形して緩和し、又定常運転時でのエンジンのトルク変動を吸収する事が出来る。
【００３０】
同図の(ａ)は正面図、(ｂ)は断面図を示しており、２はピストン、３はダンパスプリング、４は中間部材、５はプレート、６はディスク、７は補助ダンパスプリングをそれぞれ表している。上記ダンパスプリング３，３・・は中間部材４の円弧溝８，８・・に嵌って位置決め・配置され、そして、ピストン２とプレート５にて挟まれた状態で取付けられている。
【００３１】
中間部材４は中央に大きな穴を有すリング体を形成し、円弧溝８，８，８を3箇所に有し、各円弧溝８，８，８の間には連結部９，９，９が設けられている。そして、外周には凹部１０，１０・・を等間隔で設け、凹部底は滑らかな円弧面にて形成したガイド面１１，１１・・と成っている。このガイド面１１，１１・・はスペーサー１２，１２・・に接して位置決め・ガイドされて、中間部材４は回転することが出来る。
【００３２】
ところで、上記円弧溝８ａには２本のダンパスプリング３ａ，３ａが嵌り、両ダンパスプリング３ａ，３ａの間は空間となっている。そして、円弧溝８ｂには２本のダンパスプリング３ｂ，３ｂが嵌り、両ダンパスプリング３ｂ，３ｂの間は空間となっている。同じく、円弧溝８ｃには2本のダンパスプリング３ｃ，３ｃが嵌り、両ダンパスプリング３ｃ，３ｃの間は空間となっている。
【００３３】
図２はピストン２に複数本のスペーサー１２，１２・・に位置決め・ガイドされた中間部材４の各円弧溝８ａ，８ｂ，８ｃにダンパスプリング３ａ，３ａ，３ｂ，３ｂ，３ｃ，３ｃを嵌めた場合を表している。中間部材４はピストン2に固定されていない為に、スペーサー１２，１２・・をガイドとして回転することが出来る。
【００３４】
円弧溝８ａにはダンパスプリング３ａとダンパスプリング３ａが嵌り、円弧溝８ｂにはダンパスプリング３ｂとダンパスプリング３ｂが嵌り、円弧溝８ｃにはダンパスプリング３ｃとダンパスプリング３ｃが嵌っている。そして、ダンパスプリング３ａとダンパスプリング３ｂとの間には連結部９ａが介在して直列状態に繋がれている。同じく、ダンパスプリング３ｂとダンパスプリング３ｃとの間には連結部９ｂが介在して直列状態に繋がれ，ダンパスプリング３ｃとダンパスプリング３ａとの間には連結部９ｃが介在して直列状態に繋がれている。
【００３５】
そして、このリング状の中間部材４にプレート５が重なり合ってピストン２に取着される。すなわち、プレート５は間にスペーサー１２，１２・・を介してリベット１３，１３・・にて固定されている。スペーサー１２，１２・・が介在することで、ピストン２とプレート5との隙間は一定化し、その為に該隙間に嵌っている中間部材４は自由に回転することが出来る。
【００３６】
図３は中間部材４にプレート５を重ね合わせてリベット１３，１３・・にて固定した場合を表している。リング状のプレート５にも円弧溝１４ａ，１４ｂ，１４ｃが等間隔で設けられ、円弧溝１４ａにはダンパスプリング３ａ，３ｂが嵌り、円弧溝１４ｂにはダンパスプリング３ｂ，３ｃが嵌り、円弧溝１４ｃにはダンパスプリング３ｃ，３ａが嵌っている。
【００３７】
そして、各円弧溝１４ａ，１４ｂ，１４ｃの間にはバネ押え１５ａ，１５ｂ，１５ｃを設けている。バネ押え１５ａはダンパスプリング３ａとダンパスプリング３ａとの間に介在し、バネ押え１５ｂはダンパスプリング３ｂとダンパスプリング３ｂとの間に介在し、バネ押え１５ｃはダンパスプリング３ｃとダンパスプリング３ｃとの間に介在している。
【００３８】
ところで、上記プレート５にはディスク６が重ね合わされる。図４はディスク６を被せた場合であるが、該ディスク６はピストン２やプレート５と連結されない。図示していないが、タービンランナと共にタービンハブの外周に取着される。その為に、ディスク６の内周部には複数のリベット穴１６，１６・・が貫通して設けられている。
【００３９】
円盤状ディスク６には小さな円弧窓１７ａ，１７ｂ，１７ｃが設けられ、該円弧窓１７ａの内側にはバネ受け１８ａがプレート側へ延び、同じく円弧窓１７ｂの内側にはバネ受け１８ｂがプレート側へ延び、円弧窓１７ｃの内側にはバネ受け１８ｃがプレート側へ延びている。図１に示している断面図から明らかなように、バネ押え１５はピストン側へ突出した形状と成っているために、該バネ押え１５に重なって設けられているバネ受け１８は該バネ押え１５に干渉することはない。
【００４０】
そして、ディスク６の外周部には大きな円弧窓１９ａ，１９ｂ，１９ｃが貫通して設けられて、該円弧溝１９ａ，１９ｂ，１９ｃの中央には補助ダンパスプリング７ａ，７ｂ，７ｃが位置している。この補助ダンパスプリング７ａ，７ｂ，７ｃは図３に示すようにプレート外周部に設けている溝２０ａ，２０ｂ，２０ｃに嵌って取付けられている。
【００４１】
ところで、図１に示すロックアップダンパ装置１はタービンハブに取付けられてトルクコンバータのトルクコンバータ外殻に内蔵される。そして、ディスク６の内周部に貫通して設けたリベット穴１６，１６・・にリベットを通してタービンランナと共にタービンハブに連結される。ロックアップダンパ装置１はタービンランナと共に回転し、該タービンランナの回転速度が一定値より大きくなったところでピストン２が作動してフロントカバーに係合する。
【００４２】
ピストン２の外周部には摩擦材２０が設けられている為に、フロントカバーに係合して圧接するならばピストン２はフロントカバーと同一速度で回転する。この際、ピストン２の回転速度は急激に高くなり、タービンランナに衝撃的トルクが作用しないように本発明のロックアップダンパ装置１が作動する。すなわち、ピストン２と共に回転するプレート５のバネ押え１５にダンパスプリング３が押圧されて圧縮変形し、タービンランナと連結しているディスク６のバネ受け１８に衝撃トルクが伝わらないように成っている。
【００４３】
図５はピストン２がフロントカバーに係合してディスク６との間に大きな捩れが発生した場合を表している。この場合には、連結状態にあるダンパスプリング３，３・・は圧縮され、ディスク６の外周部に形成している円弧窓１９も補助ダンパスプリングに係合した状態となっている。ダンパスプリング３，３・・はバネ押え１５，１５・・とバネ受け１８，１８・・にて挟まれる。
【００４４】
図６はディスク６を取外した状態で、連結部９，９・・を介して連結状態にあるダンパスプリング３，３・・は圧縮されている。図７はさらにプレート５を取外した場合で、中間部材４の円弧溝８，８・・にはダンパスプリング３，３・・が嵌って回転している。すなわち、ダンパスプリング３，３・・は伸縮変形すると共に中間部材４と共に回転する為に、ピストンとの摩擦接触を避けることに大きな効果がある。
【図面の簡単な説明】
【００４５】
【図１】本発明のロックアップダンパ装置。
【図２】ピストンに中間部材をセットし、円弧溝にダンパスプリングを嵌めた場合。
【図３】ピストンに中間部材をセットし、円弧溝にダンパスプリングを嵌め、そしてプレートを重ね合わせた場合。
【図４】ピストンに中間部材をセットし、円弧溝にダンパスプリングを嵌め、そしてプレートを重ね合わせ、さらにディスクを重ねた場合。
【図５】ピストンを固定した状態でディスクを時計方向に回転した場合。
【図６】ピストンを固定した状態でディスクを時計方向に回転した場合で、ディスクが取外された状態。
【図７】ピストンを固定した状態でディスクを時計方向に回転した場合で、ディスクとプレートを取外した状態。
【図８】従来のトルクコンバータ。
【図９】従来のロックアップダンパ装置。
【図１０】従来のロックアップダンパ装置。
【符号の説明】
【００４６】
１  ロックアップダンパ装置
２  ピストン
３  ダンパスプリング
４  中間部材
５  プレート
６  ディスク
７  補助ダンパスプリング
８  円弧溝
９  連結部
10  凹部
11  ガイド面
12  スペーサー
13  リベット
14  円弧溝
15  バネ押え
16  リベット穴
17  円弧窓
18  バネ受け
19  円弧窓
20  摩擦材
21  拘束片
【図１】
2007192360.tif 000003
【図８】
2007192360.tif 000004
【図９】
2007192360.tif 000005
【図１０】
2007192360.tif 000006
【図２】
2007192360.tif 000007
【図３】
2007192360.tif 000008
【図４】
2007192360.tif 000009
【図５】
2007192360.tif 000010
【図６】
2007192360.tif 000011
【図７】
2007192360.tif 000012